(57)【要約】      （修正有）【課題】子供やお年寄りでも安心して使用できる、安全で切れ味の良い手動刃物を提供する。【解決手段】手動刃物であって、薄板状の刃物本体１と、該刃物本体１の長手方向の一辺に頂部に平坦面２ａと傾斜面２ｂを有した刃付け部２と、該刃付け部２の頂部に等間隔に平坦部３を介設して多数の凹状に刻設した刃部４と、該刃部４に傾斜刃部４ａと凹状刃部４ｂとを備えたものである。【選択図】図１
0003151055.tif 000002
【実用新案登録請求の範囲】
【請求項１】
手動刃物であって、薄板状の刃物本体と、該刃物本体の長手方向の一辺に頂部に平坦面と傾斜面を有した刃付け部と、該刃付け部の頂部に等間隔に平坦部を介設して多数の凹状に刻設した刃部と、該刃部に傾斜刃部と凹状刃部とを備えたことを特徴とする押し切り安全手動刃物。
【考案の詳細な説明】
【技術分野】
【０００１】
本考案は、押し切り安全手動刃物に関するものであり、更に詳細には、刃部の頂部に平坦部を備えたことにより、手動刃物を押し付けても人肌のような柔軟性を有するものは切れにくく、リンゴのような稍固い表面を有する固形物は良く切れるので、子供やお年寄りでも安心して使用できる安全な手動刃物に関するものである。
【背景技術】
【０００２】
従来、手動刃物であるリンゴカッターや、ハサミ、包丁などの刃部は鋭くすることにより切れ味が増すために、鋭く形成し切れ味を向上させているが、鋭くするほど危険に成るものであった。
【０００３】
また、従来のリンゴカッターの刃部は、刃部の構造が複雑であり、一般に使用されている刃物材より稍柔軟性の高い素材を使用しており、刃を付ける研削時に先端にバリが出るために先端まで砥がずに平坦部を残しているが、そのため切れ味が悪く普及していないのが現状であり、更に、子供用の包丁としては、先端を丸めて安全性を高めているが、刃部は従来同様に鋭角で危険なものであり、また、安全ハサミは、刃先を鈍角にしたり、カバーを設けたりして安全性を高めているが、切り味が悪いものである。
【０００４】
その為に、先に開示されているものは、刃体２の先端部に、その板面上において、尖先部４と非尖先部３とを並設するもの（特許文献１参照）や、把手部１の先端に取付部３を湾曲形成し、この取付部３に鋸歯５，６を有する切断刃４を設け、該切断刃４を先端部ほど幅狭に形成し、把手部１と取付部３の形成角度θを２３〜２７度にするもの（特許文献２参照）や、吹き付け発泡フォーム切断用フォームカッターを、刃部１の両側辺に平面状波刃３を設け、かつ柄部２が刃部面の同一延長面上にないようにするもの（特許文献３参照）等が開示されている。
【特許文献１】特開平１１−２８５５８８号公報
【特許文献２】特開平７−８６４１号公報
【特許文献３】実開平５−７４４７０号公報
【考案の開示】
【考案が解決しようとする課題】
【０００５】
然し乍ら、前述の開示されている特許文献１は、尖先部４と非尖先部３とを並設したもので、薄いものは切断できるけども、果実のように固まりのものを２つに切断することはできないものであり、特許文献２では、把手部１と鋸刃５．６の取付部３の形成角度を２３〜２７度にして安全且つ迅速に切断できるものであるが、段ボールを切断するものであり、特許文献３では、刃部１の両側辺に平面状波刃３を設け、かつ柄部２が刃部面の同一延長面上にないようにしたもので、安全性の考慮はされていないものである。
【課題を解決するための手段】
【０００６】
本考案は前記課題に鑑み、鋭意研鑽の結果、これらの課題を解決するもので、手動刃物であって、薄板状の刃物本体と、刃物本体の長手方向の一辺に頂部に平坦面と傾斜面を有した刃付け部と、刃付け部の頂部に等間隔に平坦部を介設して多数の凹状に刻設して傾斜刃部と凹状刃部とを形成したものである。
【考案の効果】
【０００７】
前述の如く構成した本考案の押し切り安全手動刃物は、刃部の頂部に等間隔に平坦部を介設して多数の凹状に刻設して刃部を形成したため、不用意に刃部が当っても平坦部が当接するために怪我をしないものであり、子供やお年寄りでも安心して使用できるものであり、切断の場合は、稍強く押し切りするだけで、刃部の傾斜刃部と凹状刃部とによって切断するもので、切れ味も従来のものと遜色なく、画期的で実用性の高い有効な考案である。
【考案を実施するための最良の形態】
【０００８】
以下、本考案の押し切り安全手動刃物の実施の形態を図面によって具体的に説明すると、図１は本考案の押し切り安全手動刃物の実施例の刃部の（ａ）は刃材の斜視図であり（ｂ）は刃部を形成した後の斜視図であり（ｃ）は断面図であり、図２は本考案の押し切り安全手動刃物の次実施例の（ａ）は刃材の斜視図であり（ｂ）は刃部を形成した後の斜視図であり、図３は本考案の押し切り安全手動刃物の他の実施例の安全刃を形成した後の斜視図であり、図４は本考案の押し切り安全手動刃物のその他の実施例の（ａ）は刃部を形成中の斜視図であり（ｂ）は刃部を形成した後の斜視図であり、図５は本考案の押し切り安全手動刃物を実施したハサミの平面図であり、図６は本考案の押し切り安全手動刃物を実施した包丁の平面図であり、図７は本考案の押し切り安全手動刃物を実施したリンゴカッターの斜視図である。
【０００９】
本考案は、押し切り安全手動刃物に関するものであり、更に詳細には、刃部の頂部に平坦部を備えたことにより、手動刃物を押し付けても人肌のような柔軟性を有するものは切れにくく、リンゴのような稍固い表面を有する固形物は良く切れるので、子供やお年寄りでも安心して使用できる安全な手動刃物に関するものであり、手動刃物であって、薄板状の刃物本体１と、該刃物本体１の長手方向の一辺に頂部に平坦面２ａと傾斜面２ｂを有した刃付け部２と、該刃付け部２の頂部に等間隔に平坦部３を介設して多数の凹状に刻設した刃部４と、該刃部４に傾斜刃部４ａと凹状刃部４ｂとを備えたことを特徴とするものである。
【実施例】
【００１０】
本考案は、被切断物を直下に向けて押し切りする包丁やナイフ、ハサミ、リンゴカッターのような手動刃物に適応するものである。
【００１１】
そして、刃物本体１は、薄板状のもので長手方向の一辺に後述する刃付け部２とする傾斜面２ｂを形成するものである。
【００１２】
次に、刃付け部２は、刃物本体１の長手方向の一辺に頂部に平坦面２ａと傾斜面２ｂを有しているもので、図１に図示するように、頂部に平坦面２ａを有して片面のみに傾斜面２ｂを形成しているものでも、図２に図示するように、頂部に平坦面２ａを有して両面に傾斜面２ｂを形成しているものでも構わないものである。
【００１３】
次いで、刃部４は、刃付け部２の頂部に等間隔に平坦部３を残して多数の凹状に刻設して形成するものであり、図１又は図２に図示するように、片側の傾斜面２ｂの対面に凹状に刃部４を刻設して形成しても、図３に図示するように、両面の刃付け部２とする傾斜面２ｂに交互に刃部４を形成しても構わないもので、片側に刃部４を刻設した刃物本体１でリンゴ等を切断すると、刻設した対面側に斜めに刃部４が沿って進行するため、刃部４を刻設した対面側に傾斜面２ｂを設けることにより、刃部４が刃物本体１の板面と同じ方向に一直線に切断できるものである。
【００１４】
更に、図４に図示するものは、本考案の押し切り安全手動刃物のその他の形成方法で、薄板状の刃物本体１の一辺に刃付け部２とする傾斜面２ｂに形成し、多数の凹状に刻設した刃部４を形成した後に、先端辺を破線で図示するように切断して平坦面２ａを形成したものである。
【００１５】
更には、刃部４は、平坦面２ａを残した刃部４を形成した平坦部３から略Ｖ字状に形成した両側の傾斜部位が傾斜刃部４ａと成り、両側の傾斜部位の傾斜刃部４ａを連繋する底部が凹状刃部４ｂと成るものである。
【００１６】
そして、図５に図示するものは、本考案の押し切り安全手動刃物をハサミに実施したものであり、図６に図示するものは、包丁に実施したものであり、図７に図示するものは、リンゴカッターに実施したものである。
【産業上の利用可能性】
【００１７】
本考案は、刃部の頂部に等間隔に平坦部を介設して多数の凹状に刻設して傾斜刃部と凹状刃部とを形成したため、不用意に刃部が当っても平坦部が当接するために怪我をしないものであり、子供やお年寄りでも安心して使用できるものであり、切断の場合は、稍強く押し切りするだけで切れ味も従来のものと遜色のないの押し切り安全手動刃物の提供である。
【図面の簡単な説明】
【００１８】
【図１】図１は本考案の押し切り安全手動刃物の実施例の刃部の（ａ）は刃材の斜視図であり（ｂ）は刃部を形成した後の斜視図であり（ｃ）は断面図である。
【図２】図２は本考案の押し切り安全手動刃物の次実施例の（ａ）は刃材の斜視図であり（ｂ）は刃部を形成した後の斜視図である。
【図３】図３は本考案の押し切り安全手動刃物の他の実施例の安全刃を形成した後の斜視図である。
【図４】図４は本考案の押し切り安全手動刃物のその他の実施例の（ａ）は刃部を形成中の斜視図であり（ｂ）は刃部を形成した後の斜視図である。
【図５】図５は本考案の押し切り安全手動刃物を実施したハサミの平面図である。
【図６】図６は本考案の押し切り安全手動刃物を実施した包丁の平面図である。
【図７】図７は本考案の押し切り安全手動刃物を実施したリンゴカッターの斜視図である。
【符号の説明】
【００１９】
１      刃物本体
２      刃付け部
２ａ    平坦面
２ｂ    傾斜面
３      平坦部
４      刃部
４ａ    傾斜刃部
４ｂ    凹状刃部
【図１】
0003151055.tif 000003
【図２】
0003151055.tif 000004
【図３】
0003151055.tif 000005
【図４】
0003151055.tif 000006
【図５】
0003151055.tif 000007
【図６】
0003151055.tif 000008
【図７】
0003151055.tif 000009